(57)【要約】【課題】  通常の梯子に荷台をセットし、地上部からの手動操作により上昇できるようにした手動式荷揚げ装置を提供する。【解決手段】  梯子に沿って昇降可能に取り付けられる荷台１であって、梯子に沿ってスライド可能な縦枠３及び横枠４を有する矩形状の枠体２と、前記縦枠３の両側部に固定され前記梯子の両側を挟み込む左右の側部位置決め板１０と、を備え、地上部からの牽引操作により、前記荷台１を梯子に沿って昇降させるようにした牽引機構を有し、前記枠体２における縦枠３及び横枠４は、それぞれ縦及び横方向に沿って伸縮可能であり、座板８は枠体の下部左右に９０°折り畳み展開可能であることを特徴とする。【選択図】      図２
2005120638.tif 000002
【特許請求の範囲】
【請求項１】
梯子に沿って昇降可能に取り付けられる荷台であって、梯子に沿ってスライド可能な縦枠及び横枠を有する矩形状の枠体と、前記縦枠の両側部に固定され前記梯子の両側を挟み込む左右の側部位置決め板と、を備え、
地上部からの牽引操作により、前記荷台を梯子に沿って昇降させるようにした牽引機構を有することを特徴とする手動式荷揚げ装置。
【請求項２】
梯子に沿って昇降可能に取り付けられる荷台であって、梯子に沿ってスライド可能な縦枠及び横枠を有する矩形状の枠体と、該枠体の下部に取り付けられて荷揚げ物品の底部を支持する座板と、地上部からの牽引操作により、前記荷台を梯子に沿って昇降させるようにした牽引機構とを備え、
前記枠体における縦枠及び横枠は、それぞれ縦及び横方向に沿って伸縮可能であり、前記座板は枠体の下部左右に９０°折り畳み展開可能であることを特徴とする手動式荷揚げ装置。
【請求項３】
梯子に沿って昇降可能に取り付けられる荷台であって、梯子に沿ってスライド可能な縦枠及び横枠を有する矩形状の枠体と、地上部からの牽引操作により、前記荷台を梯子に沿って昇降させるようにした牽引機構とを備え、
前記梯子の上端に傾動可能に連結され、屋根傾斜に略沿って保持される荷揚げ物品設置用の案内体を備えたことを特徴とする手動式荷揚げ装置。
【請求項４】
前記牽引機構は、前記枠体の上部に配置された滑車を有し、前記枠体の上端に一端懸架された荷揚げ用ロープの類を前記滑車に掛け回した上で、梯子の上端において制動用のラッチ機構を介して前記ロープの類を通して地上部に垂下させ、地上部から前記ロープの類を牽引することで、ラッチ機構を掛けはずしつつ前記荷台を上昇させ、牽引停止によりラッチ機構の制動により前記荷台を上昇位置に保持するものであることを特徴とする請求項１，２，３のいずれか１項に記載の手動式荷揚げ装置。
【請求項５】
前記荷台の縦枠の梯子に対する摺動接触面に沿って固定された滑材を設け、縦枠の上下には前記滑材と連続して梯子から離間する方向に傾斜した案内斜面を一体に設けたことを特徴とする請求項１，２，３，４のいずれか１項に記載の手動式荷揚げ装置。
【請求項６】
前記梯子が二段スライド式であって、その梯子下部上端と背後上部の下部との間に形成される段差位置に取り付けられて、両者間を傾斜状に連続させる傾斜案内板を設けたことを特徴とする請求項１，２，３，４，５のいずれか１項に記載の手動式荷揚げ装置。
【発明の詳細な説明】
【技術分野】
【０００１】
本発明は、梯子に脱着可能に装着して荷揚げを行うための手動式荷揚げ装置に関する。
【背景技術】
【０００２】
一般住宅の屋根工事などにおいては、梯子を屋根に掛け、この梯子を伝って作業員が乗降しつつ資材の屋根上への荷揚げ作業を行っているが、このような作業では多大な労力がかかり、施工性が低い上に安全面での問題もある。
このような欠点を改善する装置として下記特許文献１に示されるような電動リフターがある。また下記特許文献２にあるような一般的な梯子に組み付けて電動式に荷揚げを行う装置もある。
【０００３】
このようなリフターを用いた場合には、荷台に荷揚げ物品をセットし、モータのスイッチを入れるだけで、自動的に荷台が上昇するため、極めて便利であり、省力化できるとともに作業能率も格段に向上する。
【特許文献１】実用新案登録公報代５２３３８０号公報
【特許文献２】特開２００３−６３７９９号公報
【発明の開示】
【発明が解決しようとする課題】
【０００４】
しかしながら、上記特許文献１記載の電動式リフターは梯子と一体型の大形構造であり、重量が大きく、持ち運びに不便であり、また、設置が容易でない欠点を有する。
また、上記特許文献２記載の荷揚げ装置においては、梯子に対して荷台が脱着可能であるが、電動機などの動力を梯子に組み込むため、やはり大形で重くなり、搬送や組立、分解の面で難があった。
【０００５】
本発明は、以上の不具合を解決するもので、その目的とするところは、通常の梯子に荷台を簡単にセットでき、地上部からの手動操作により昇降できるようにした手動式荷揚げ装置を提供するものである。
【課題を解決するための手段】
【０００６】
次に、上記の課題を解決するための手段を、実施の形態に対応する図面を参照して説明する。
この発明の請求項１記載の手動式荷揚げ装置は、梯子２０に沿って昇降可能に取り付けられる荷台１であって、梯子２０に沿ってスライド可能な縦枠３及び横枠４を有する矩形状の枠体２と、前記縦枠３の両側部に固定され前記梯子２０の両側を挟み込む左右の側部位置決め板１０と、を備え、
地上部からの牽引操作により、前記荷台１を梯子２０に沿って昇降させるようにした牽引機構３１を有することを特徴とする。
【０００７】
請求項２記載の手動式荷揚げ装置は、梯子２０に沿って昇降可能に取り付けられる荷台１であって、梯子２０に沿ってスライド可能な縦枠３及び横枠４を有する矩形状の枠体２と、該枠体２の下部に取り付けられて荷揚げ物品Ｗの底部を支持する座板８と、地上部からの牽引操作により、前記荷台１を梯子２０に沿って昇降させるようにした牽引機構３１とを備え、
前記枠体２における縦枠３及び横枠４は、それぞれ縦及び横方向に沿って伸縮可能であり、前記座板８は枠体２の下部左右に９０°折り畳み展開可能であることを特徴とする。
【０００８】
請求項３記載の手動式荷揚げ装置は、梯子２０に沿って昇降可能に取り付けられる荷台１であって、梯子２０に沿ってスライド可能な縦枠３及び横枠４を有する矩形状の枠体２と、地上部からの牽引操作により、前記荷台１を梯子２０に沿って昇降させるようにした牽引機構３１とを備え、
前記梯子２０の上端に傾動可能に連結され、屋根傾斜に略沿って保持される荷揚げ物品設置用の案内体５０を備えたことを特徴とする。
【０００９】
請求項４記載の手動式荷揚げ装置は、請求項１，２，３のいずれか１項に記載の手動式荷揚げ装置において、前記牽引機構３１は、前記枠体２の上部に配置された滑車１５を有し、前記枠体２の上端に一端懸架された荷揚げ用ロープの類２６を前記滑車１５に掛け回した上で、梯子２０の上端において制動用のラッチ機構２９を介して前記ロープの類２６を通して地上部に垂下させ、地上部から前記ロープの類２６を牽引することで、ラッチ機構２９を掛けはずしつつ前記荷台１を上昇させ、牽引停止によりラッチ機構２９の制動により前記荷台１を上昇位置に保持するものであることを特徴とする。
【００１０】
請求項５記載の手動式荷揚げ装置は、請求項１，２，３，４のいずれか１項に記載の手動式荷揚げ装置において、前記荷台１の縦枠３の梯子２０に対する摺動接触面に沿って固定された滑材３０を設け、縦枠３の上下には前記滑材３０と連続して梯子２０から離間する方向に傾斜した案内斜面９を一体に設けたことを特徴とする。
【００１１】
請求項６記載の手動式荷揚げ装置は、請求項１，２，３，４，５のいずれか１項に記載の手動式荷揚げ装置において、前記梯子が二段スライド式であって、その梯子下部４０ａ上端と背後上部の下部４０ｂとの間に形成される段差位置に取り付けられて、両者間を傾斜状に連続させる傾斜案内板４１を設けたことを特徴とする。
【発明の効果】
【００１２】
本発明の請求項１記載の手動式荷揚げ装置では、作業員が地上部からロープを牽引する作業だけで荷台に保持された荷揚げ物品の揚重作業が可能となる。また電動機及びその動力伝達機構がなく、装置全体が軽量であり、また、既存の梯子を使用することから、作業現場における組立分解も簡単に行え、作業性が向上する。
【００１３】
請求項２記載の手動式荷揚げ装置では、縦枠及び横枠が伸縮可能であることから、荷台を梯子の幅や荷揚げ物品の大きさに合わせて調整可能であり、かつ作業前，作業後における搬送時においては、縦枠，横枠を縮め、座板を折り畳むことが可能であることから、コンパクトに小型化して搬送可能である。また小型であることから狭小地でも作業が行えることとなる。
【００１４】
請求項３記載の手動式荷揚げ装置では、荷揚げ物品を屋根部に荷揚げした後は、案内体上に設置することで、荷揚げ物品を屋根上に安定して仮設置でき、滑落などの事故を未然に防止できる。
【００１５】
請求項４記載の手動式荷揚げ装置では、ラッチ機構を設けたことにより、地上部での牽引作業にて荷台を上昇させつつ、牽引する動作を停止した状態では、揚重位置に保持されることから、牽引作業を連続しなくとも、確実に梯子に沿わせて上昇作業を行える。また、牽引作業が地上部で行えることから、作業員の安全性を確保できる。
【００１６】
請求項５記載の手動式荷揚げ装置では、案内斜面を縦枠の上下に設けたことから、荷台を梯子に沿って昇降させる際に、移動時における障害を乗り越えて滑動させることができ、スムーズに昇降移動が可能となる。
【００１７】
請求項６記載の手動式荷揚げ装置では、傾斜案内板によって、二段スライド式梯子において、段差部位でも荷台がスムーズに移動できる。
【発明を実施するための最良の形態】
【００１８】
以下、本発明の好ましい実施の形態につき添付図面を参照して詳細に説明する。図１、図２は本発明にかかる荷揚げ装置の主要部を構成する荷台を示すものであり、図１は格納状態を、図２は展開状態を示す斜視図である。
【００１９】
図において荷台１は、ほぼ縦長矩形状の枠体２とこれに連結した各種付属部品とからなっている。
枠体２は、一対の縦枠３及び縦枠３の上下に一体化された一対の横枠４からなる縦長矩形状をなすものである。各縦枠３及び横枠４は、断面中空角形鋼材を溶接などにより接合され、かつそれぞれの中央を半分割されている。
【００２０】
そして、図２に示すように、半分割された中空内部にはこれより径小な縦横の連結枠５，６が挿通されている。
【００２１】
連結枠５，６の一端は、半分割された一方の枠３，４内部に固定され、他端側が他方の枠３，４の内部に沿ってスライド可能となっており、それぞれがスライド側の各枠３，４の外部より螺着されたロックねじ７により伸縮位置に固定される。
【００２２】
枠体２の付属部品は、一対の座板８、案内斜面としてのガイド板９及び側部位置決め板１０などからなっている。
【００２３】
座板８は枠体２の下部における左右、好ましくは左右の角部分に縦枠３に沿う垂直と水平との間の９０°の範囲内で折り畳み展開可能に連結されたものであり、後述する荷揚げ物品の下部を支持するものである。
【００２４】
ガイド板９は、前記各縦枠３の上下端部に背面（図２中手前）側に向けて、すなわち、荷台１を梯子２０にセットした際にこの梯子２０から離間する方向に傾斜して設けられている。側部位置決め板１０は、縦枠３の両外側面上下に固定されたもので、縦枠３の腹面側に延出し、後述する梯子の縦桿に摺動接触して枠体２の左右位置決めを行う。
【００２５】
また、上部側横枠４及び各座板８には、ブラケット１１が設けられる。これら各ブラケット１１には、荷揚げ物品固定用のゴム紐１２の両端に設けられたフック１２ａが引っかけ係止される。
【００２６】
さらに、両縦枠３の上部両外側には、吊り下げ用の鎖１４が設けられている。この鎖１４の頂部中心には滑車１５を備えたブラケットが連結している。
【００２７】
以上の構成の荷台１の格納時においては、図１に示すように各枠３，４を縮小するとともに、座板８を折り畳むことで、小型かつコンパクトに格納できる。また、使用時においては、後述する梯子の幅や荷揚げ物品の大きさに応じて、図２に示すように枠体２を上下左右に拡張し、さらに座板８を展開することで、使用状態となる。
【００２８】
なお図１，２において、枠体２の上部側及び座板８の腹面側の内面に描かれた網掛け部分は例えば薄ゴム板などの高摩擦部材の貼着位置を示すもので、この高摩擦部材により後述する荷揚げ物品を安定して荷台１の背面に設置できるようにしている。また、この高摩擦部材とともに、緩衝材、例えば発泡ウレタン樹脂などを層状に貼付される構成としてもよい。
【００２９】
次に、以上説明した構成の荷台１を使用して荷台を荷揚げするまでの手順を図３〜図５を用いて説明する。
まず図３（ａ）に示すように梯子２０を建物２１に立てかけた状態にセットし、その上端を建物２１の屋根部２２に到達させる。
なお、同図（ｂ）及び図４に拡大して示すように、梯子２０と屋根部２２の軒端２２ａとの接触部には付属部品として保護金物２３が予め固定される。
【００３０】
この保護金物２３は、軒端２２ａより略Ｕ字形に突設する本体２３ａと、これに一体化され、軒端２２ａを挟み込んだ状態で軒端２２ａに固定されるクランプ部２３ｂとからなるもので、この保護金物２２の介設により梯子の縦桿２０ａが直接接触することによる軒端２２ａの破損やその下部に横設された雨樋２４の破損を防止する。
【００３１】
梯子２０のセット完了後は、牽引機構３１がセットされる。まず、図３（ｂ）に示すように、牽引機構３１を構成する無端環状の吊り下げ用紐２５を梯子２０の最上端中央に巻き付け取り付ける。
【００３２】
次に、図５に示すように、紐２５の環部に荷揚げ用ロープ２６の一端を固定したナス環２７を取り付ける。このロープ２６は、一端側の中途が荷台１側の滑車１５に予め通っており、図５に示すようにロープ２６は梯子２０に沿うこととなる。
【００３３】
このロープ２６は、再び紐２５に連結したフック２８の下部に垂下された牽引機構３１を構成するラッチ機構としてのラッチ機構付き滑車２９に通され、そして他端が地上部に垂下される。
【００３４】
ラッチ機構付き滑車２９は、図５の一部に拡大図として示すように、プーリ２９ａの一側部にレバー付きの鋸歯状クラッチ２９ｂを備えたもので、クラッチ２９ｂは図示しないトーションバネなどのバネ力により常時ロープ外周の食いつき側に付勢されており、外力によりロープ２６を引くとクラッチ２９ｂがはずれてロープ２６を引くことができ、この状態から牽引停止により、クラッチ２９ｂがロープ２６に食い込んでその位置に制動する。なお、レバーをバネ力に抗して引くことで制動が解除される。
【００３５】
したがって、図５に示すごとく、荷台１の側部位置決め板１０を梯子２０の側面に接触させた状態で荷台１を梯子２０の下部にセットし、荷台１の背面に荷揚げ用パネル状物品Ｗを裁置し、ゴム紐１２によりパネル状物品Ｗを固縛した後はロープ２６を作業員が牽引するだけの操作で、その牽引量に応じた上昇量で荷台１は順次梯子２０の両側縦桿２０ａをガイドとして上昇し、屋根２２の軒端２２ａまで荷揚げできることになる。
【００３６】
なお、パネル状物品Ｗの具体例としては、例えば温水器、太陽電池などのソーラパネルが掲げられるほか、例えば瓦葺き用資材などが掲げられる。
【００３７】
図６は前記荷台１の梯子２０に対する接触側の面である腹面を示すもので、縦枠３及びこの上下に延出して一体化されたガイド板９には梯子２０の両縦桿２０ａに摺接する滑材としての滑材テープ３０が粘着テープなどを介して貼着され、これによって縦桿２０ａに対する滑り性を確保し、荷台１の荷揚げ時及び下降時における移動をスムーズに行えるようになっている。また、縦枠３の腹面側に延出する側部位置決め板１０にも、図示しないが、滑材テープが設けられ、梯子２０の縦桿に対する摺動接触をスムーズなものとしている。
【００３８】
さらに、梯子としては１段梯子だけではなく、図７（ａ）に示す二段スライド式梯子４０もある。この二段スライド式梯子４０は、立てかける高さ位置に応じて梯子下部４０ａの上端に重ねて梯子上部４０ｂを伸縮可能に連結したものであり、この場合には、その段差位置において、荷台１の上下移動に支障が生ずる。
【００３９】
この場合には、図７（ｂ）に示すように、付属部品としての傾斜案内板４１を配置し、両者間の段差を解消し傾斜状態に連続させる。
【００４０】
傾斜案内板４１は、図７に拡大図として示すように、水平部の一端より傾斜状に折り曲げた短冊状の鋼板４１ａの水平部裏側にＬ字形のブラケット４１ｂを突設し、鋼板４１ａとブラケット４１ｂ間で梯子４０ａを狭持するとともに、ブラケット４１ｂに止めネジ４１ｃをねじ込み梯子４０ａの裏面に突設することで、傾斜案内板４１は、梯子４０ａ，４０ｂ間に傾斜状に固定される。
なお、傾斜案内板４１の表面には前記荷台１の裏面側と同様に滑材テープ３０が粘着剤などによって固定され、この部分における相対移動をスムーズに行えるようになっている。
【００４１】
図８，９は荷揚げ装置の他の付属部品を示すもので、梯子２０（４０）の頂部に取り付けられる案内体５０である。この案内体５０は、一対で構成され梯子２０（４０）の各頂部に取り付けられ、互いに平行となって屋根部２２の傾斜面に延出する。案内体５０は、基部にブラケット５０ａを備えており、このブラケット５０ａに対して支軸で連結構成されて屈曲自在とされて傾動可能とされる。ブラケット５０ａは梯子２０（４０）の頂部に嵌合されて止めネジ５０ｂにより固定され、先端側が屋根部２２の傾斜面に対してほぼ水平に位置させている。
【００４２】
この案内体５０は、荷台１により揚重されたパネル状物品Ｗを、屋根上に仮設置するものであって、これによって物品Ｗの滑落などを未然に防止できるようになっている。
したがって、ロープ２６の引っ張り操作によって物品Ｗを保持した荷台１を軒端２２ａまで引き上げた後は、パネル状物品Ｗのみを荷台１から持ち上げ、案内体５０上に載せ、屋根部２０に対する設置作業が行われることとなる。
【００４３】
また、荷揚げ後は、滑車２９のクラッチ２９ｂに付属しているレバーを引けばクラッチ２９ｂによる制動が解除され、荷台１を降下させることができることになる。
【００４４】
なお、以上の実施形態において、荷揚げ物品の重量が重い場合には、滑車の数に応じた倍力機構とすることで、作業員の人手操作で十分に対応できる。また、レバーなども遠隔操作用の紐等で操作できるようにすれば、荷台１の吊り降ろし操作も地上部から行うことができる。
【図面の簡単な説明】
【００４５】
【図１】本発明にかかる荷揚げ装置の主要部を構成する荷台の縮小格納状態を示す斜視図である。
【図２】同拡張展開状態を示す斜視図である。
【図３】（ａ）は梯子を建物の屋根面に立てかけた状態を示す説明図、（ｂ）は同要部を示す部分説明図である。
【図４】図３（ｂ）におけるＡ矢視図である。
【図５】梯子に荷台をセットした状態を示す説明図である。
【図６】荷台の正面図である。
【図７】（ａ）は二段スライド式梯子の説明図、（ｂ）はこの梯子に傾斜案内板を取り付けた状態を示す一部拡大部分を含む説明図である。
【図８】案内体の取付状態を示す斜視図である。
【図９】同案内体及び傾斜案内板を設けた二段スライド式梯子の屋根部への立て掛け状態を示す部分側面説明図である。
【符号の説明】
【００４６】
１…荷台
２…枠体
３…縦枠
４…横枠
８…座板
９…案内斜面（ガイド板）
１０…側部位置決め板
１５…滑車
２０…梯子
２６…荷揚げ用ロープ
２９…ラッチ機構付き滑車
３０…滑材（滑材テープ）
３１…牽引機構
４０…二段スライド式梯子
４１…傾斜案内板
５０…案内体
【図１】
2005120638.tif 000003
【図２】
2005120638.tif 000004
【図３】
2005120638.tif 000005
【図４】
2005120638.tif 000006
【図５】
2005120638.tif 000007
【図６】
2005120638.tif 000008
【図７】
2005120638.tif 000009
【図８】
2005120638.tif 000010
【図９】
2005120638.tif 000011